(57)【要約】【課題】デジタル放送の録画再生装置において、録画中にエラーが生じてもそれまでに記録した録画データの保存および再生を可能とする機能を有する録画再生制御回路を提供する。【解決手段】デジタル放送を受信するための選局部１０３と、録画ファイルを記録する録画ファイル記録部１０８と、録画ファイルを再生したものまたはデジタル放送を出力する表示部１１０および音声出力部１１２とを有する録画再生装置における録画再生制御回路２０００であって、デジタル放送から録画ファイルを生成する機能と、録画ファイルを再生して表示部１１０および音声出力部１１２に出力する機能とを有し、デジタル放送から録画ファイルを生成する際は、複数の録画ファイルに分割した分割録画単位ファイルとして生成し、録画ファイルを再生する際は、前記分割録画単位ファイルを連結して再生することを特徴とする録画再生制御回路。【選択図】図２０
2009017380.tif 000002
【特許請求の範囲】
【請求項１】
デジタル放送を受信するための選局部と、該選局部で受信したデジタル放送から生成された録画ファイルを記録する録画ファイル記録部と、該録画ファイル記録部に記録している録画ファイルを再生したものまたは前記選局部で受信したデジタル放送を出力する表示部および音声出力部とを有する録画再生装置における録画再生制御回路であって、
前記選局部で受信したデジタル放送から録画ファイルを生成する機能と、前記録画ファイル記録部に記録されている録画ファイルを再生して前記表示部および前記音声出力部に出力する機能とを有し、
前記選局部で受信したデジタル放送から録画ファイルを生成する際は、複数の録画ファイルに分割した分割録画単位ファイルとして生成し、
前記録画ファイル記録部に記録されている録画ファイルを再生する際は、前記分割録画単位ファイルを連結して再生することを特徴とする録画再生制御回路。
【請求項２】
請求項１記載の録画再生制御回路において、
前記選局部で受信したデジタル放送から前記分割録画単位ファイルを生成する際の分割基準として、単位時間または単位サイズ、またはその両方を指定できることを特徴とする録画再生制御回路。
【請求項３】
請求項２記載の録画再生制御回路において、
前記分割基準として単位時間と単位サイズの両方を指定した場合、前記録画ファイルがこれら双方の指定値のいずれかに到達した時点で分割して前記分割録画単位ファイルを生成することを特徴とする録画再生制御回路。
【請求項４】
請求項２または３記載の録画再生制御回路において、
前記選局部で受信したデジタル放送から前記分割録画単位ファイルを生成する際に、前記録画ファイルが分割基準として指定した単位時間または単位サイズに到達した後、所定の時間イントラピクチャの受信を待って該イントラピクチャの開始位置を取得し、該イントラピクチャの開始位置を継続する新たな前記分割録画単位ファイルの先頭とすることを特徴とする録画再生制御回路。
【請求項５】
請求項１〜４のいずれか１項記載の録画再生制御回路において、
前記選局部で受信したデジタル放送から録画ファイルを生成する際に、生成された複数の前記分割録画単位ファイルについてのファイル順を管理するファイル順管理ファイルを生成し、
前記録画ファイル記録部に記録されている録画ファイルを再生する際に、前記ファイル順管理ファイルに登録されたファイル順に従って前記分割録画単位ファイルを再生することを特徴とする録画再生制御回路。
【請求項６】
請求項１〜５のいずれか１項記載の録画再生制御回路において、
前記選局部で受信したデジタル放送から録画ファイルを生成する際に、生成された前記分割録画単位ファイル毎に、タイムサーチポイントを登録したタイムサーチ管理ファイルを生成し、
前記録画ファイル記録部に記録されている録画ファイルを再生する際に、前記各分割録画単位ファイルを連結せずに単独で再生可能であることを特徴とする録画再生制御回路。
【請求項７】
請求項６記載の録画再生制御回路において、
前記録画ファイル記録部に記録されている録画ファイルを再生する際に、前記各分割録画単位ファイル毎に生成された前記タイムサーチ管理ファイルを連結し、連結した前記タイムサーチ管理ファイルに登録されたファイル順に従って前記各分割録画単位ファイルを再生することを特徴とする録画再生制御回路。
【発明の詳細な説明】
【技術分野】
【０００１】
本発明は、デジタル放送を受信録画し、再生を行なう録画再生装置および録画再生装置における制御回路に適用して有効な技術に関するものである。
【背景技術】
【０００２】
デジタル放送を受信し録画する録画装置（一般的にレコーダと呼ばれている）では、デジタル放送であるＭＰＥＧ−ＴＳ（Motion Picture Experts Group - Transport Stream）をそのまま（圧縮したまま）録画したり、録画したファイルを再生したりすることができる。また、１個の長時間録画ファイルを生成後、パソコン等により複数の録画ファイルに分割することは、一般的に行われている。
【０００３】
なお、長時間のアナログ放送連続録画の際に、映像音声データを複数個のタイトルに分割して録画し、タイトルを再生する例としては、特開２００３−２４４６１３号公報（特許文献１）に開示されている映像データ記録再生方法などがある。
【特許文献１】特開２００３−２４４６１３号公報
【発明の開示】
【発明が解決しようとする課題】
【０００４】
デジタル放送を録画し、録画したファイルを再生する録画再生装置においては、録画中に何らかのエラーで失敗した場合、管理情報が書き込めないことから全ての録画データが無効となってしまう。これは、例えば長時間録画していて終了直前で失敗した場合であっても、それまで正常に記録していた録画データ全てが無効となることを意味し、ユーザの損失は非常に大きい。
【０００５】
そこで本発明の目的は、デジタル放送の録画再生装置において、録画中にエラーが生じてもそれまでに正常に記録した録画データの保存および再生を可能とする機能を有する録画再生制御回路を提供することにある。
【０００６】
本発明の前記ならびにその他の目的と新規な特徴は、本明細書の記述および添付図面から明らかになるであろう。
【課題を解決するための手段】
【０００７】
本願において開示される発明のうち、代表的なものの概要を簡単に説明すれば、次のとおりである。
【０００８】
本発明は、デジタル放送を受信するための選局部と、該選局部で受信したデジタル放送から生成された録画ファイルを記録する録画ファイル記録部と、該録画ファイル記録部に記録している録画ファイルを再生したものまたは前記選局部で受信したデジタル放送を出力する表示部および音声出力部とを有する録画再生装置における録画再生制御回路であって、前記選局部で受信したデジタル放送から録画ファイルを生成する機能と、前記録画ファイル記録部に記録されている録画ファイルを再生して前記表示部および前記音声出力部に出力する機能とを有し、前記選局部で受信したデジタル放送から録画ファイルを生成する際は、複数の録画ファイルに分割した分割録画単位ファイルとして生成し、前記録画ファイル記録部に記録されている録画ファイルを再生する際は、前記分割録画単位ファイルを連結して再生することを特徴とするものである。
【発明の効果】
【０００９】
本願において開示される発明のうち、代表的なものによって得られる効果を簡単に説明すれば以下のとおりである。
【００１０】
本発明によれば、デジタル放送の録画再生装置において、録画中にエラーが生じてもエラー発生時までに正しく記録した録画データを保存し、再生することが可能となる。
【発明を実施するための最良の形態】
【００１１】
以下、本発明の実施の形態を図面に基づいて詳細に説明する。なお、実施の形態を説明するための全図において、同一部には原則として同一の符号を付し、その繰り返しの説明は省略する。
【００１２】
＜実施の形態１＞
以下では、デジタル放送を受信録画し、再生を行なう録画再生装置の例として、デジタル放送受信機能付き携帯端末について説明する。ここでの携帯端末は、ユーザが保持する形態のものだけに限られず、例えば自動車に搭載する車載用途の携帯端末なども含むものである。
【００１３】
図１は、本発明の実施の形態１であるデジタル放送受信機能付き携帯端末１００（以下「携帯端末１００」と省略して記載する場合がある）の内部構成の一例を示す概略ブロック図である。制御部１０１は、ＣＰＵ（Central Processing Unit）等により構成され、携帯端末１００全体の制御を行なう。操作部１０２は、番号キーやファンクションキーを含む複数のキー等から構成され、ユーザ（視聴者）からの指示を受け付ける。
【００１４】
選局部１０３は、放送用受信アンテナ１０４を介して受信したデジタル放送を選局するためのチューナであり、受信したデジタル放送の信号を復調し、デジタルデータを出力する。無線通信部１０５は、通信用送受信アンテナ１０６を介して、ＣＤＭＡ（Code Division Multiple Access）等の無線通信を行なうモデムである。
【００１５】
制御部１０１の動作プログラム等を保存する記憶部１０７と、受信したデジタル放送番組を録画保存する録画ファイル記録部１０８は、それぞれ別のＲＡＭ（Random Access Memory）等のメモリであっても良いし、1つのメモリの中に記憶部１０７と録画ファイル記録部１０８を混在させても良い。さらに、メモリカードなどの取り外し可能な外部記憶媒体を用いるようにしても良い。例えば、録画ファイル記録部１０８を外部記憶媒体とし、記憶部１０７をＲＡＭで構成するようにしても良い。録画ファイル記録部１０８を外部記憶媒体とし、複数の媒体を取り替えて用いることができるようにすることにより、多くのデジタル放送番組データを録画することが出来る。
【００１６】
映像復号部１０９は、圧縮された映像データを復号するデコーダであり、表示部１１０は、映像復号部１０９で復号された映像を表示する液晶モニタ等のディスプレイである。音声復号部１１１は、圧縮された音声データを復号するデコーダであり、音声出力部１１２は、音声復号部１１１で復号された音声を出力するスピーカやイヤホン端子等である。
【００１７】
なお、表示部１１０を、ユーザがペンや指を用いてディスプレイの画面に触れることにより、文字や数字、ユーザ指示を入力することができるタッチパネル方式にしても良い。これにより、ユーザは、使用状況や入力する情報に応じて、入力手段として操作部１０２と表示部１１０とを使い分けることができる。また、携帯端末１００を小型化するために、操作部１０２を省略することもできる。
【００１８】
デジタル放送を放送用受信アンテナ１０４及び選局部１０３を介して受信すると、記憶部１０７に一時保存する。一時保存されたデジタル放送データは、制御部１０１の制御により、圧縮映像データと圧縮音声データとに分離される。圧縮映像データは、映像復号部１０９にて復号され、表示部１１０に表示される。また、圧縮音声データは、音声復号部１１１にて復号され、音声出力部１１２にて音声として出力される。
【００１９】
内部タイマ１１３は、本実施の形態における携帯端末１００の基本クロックである２７ＭＨｚのクロックをカウントするタイマであり、デジタル放送の放送局とデジタル放送を受信する携帯端末１００との同期や、表示する映像データと出力する音声データとの同期等に使用される。
【００２０】
受信したデジタル放送番組を録画する場合は、デジタル放送のデジタルデータ（ＴＳフォーマット）を録画ファイル記録部１０８に保存する。
【００２１】
通信用送受信アンテナ１０６および無線通信部１０５を介して受信したデジタルデータは、制御部１０１の制御により、メール等の文字データと通話等の音声データに分離される。メール等の文字データは表示部１１０にて表示され、通話等の音声データは、音声出力部１１２にて音声として出力される。また、制御部１０１の制御により、記憶部１０７等に保存されたデータを読み出し、無線通信部１０５および通信用送受信アンテナ１０６を介してデジタルデータとして送信する。デジタル放送の番組表である電子番組表（ＥＰＧ：Electronic Program Guide）等も、この通信用送受信アンテナ１０６および無線通信部１０５を利用して入手する。
【００２２】
なお、図１および以降の図においては、映像と音声のデータについてのみ記載しており、字幕とＰＣＲ（Program Clock Reference）については省略している。
【００２３】
図２は、本実施の形態によるデジタル放送受信機能付き携帯端末１００における、デジタル放送受信視聴時のデータの流れを示すブロック図である。デジタル放送は、放送用受信アンテナ１０４を介して受信し、選局部（チューナ）１０３にて選局される。選局されたデジタル放送は、ＴＳ（Transfer Stream）フォーマットのまま、記憶部１０７内のＴＳバッファ２０１に一時保存される。
【００２４】
ＴＳバッファ２０１に一時保存されたＴＳデータは、制御部１０１内のＴＳデータを分離するデマルチプレクス部であるＤＥＭＵＸ部２０２により、映像データのＰＥＳ（Packetized Elementary Stream：パケット化ストリーム）と音声データのＰＥＳとに分離され、映像データのＰＥＳは、記憶部１０７内の映像ＥＳバッファ２０３に、音声データのＰＥＳは、記憶１０７内の音声ＥＳバッファ２０４にそれぞれ格納される。映像ＥＳバッファ２０３に格納された映像データは、映像復号部１０９で復号され、表示部１１０で表示される。音声ＥＳバッファ２０４に格納された音声データは、音声復号部１１１で復号され、音声出力部１１２から音声として出力される。
【００２５】
携帯端末向けのデジタル放送である１セグ放送の映像圧縮符号化は、Ｈ．２６４規格（MPEG-4 part10 AVC/H.264：国際標準化機構／国際電気技術委員会（ＩＳＯ／ＩＥＣ）の動画専門家グループ（ＭＰＥＧ）と国際電気通信連合（ＩＴＵ）の動画符号化専門家グループ（ＶＣＥＧ）との間で共同開発された高度な符号化及び復号化技術）に基づいており、ＩＤＲ（Instantaneous Decoder Refresh：デコード復号動作の瞬時リフレッシュ）のイントラピクチャ（画面内符号化のピクチャ）からのみ正しく復号できるようになっている。
【００２６】
このＩＤＲ画像の情報（ファイル先頭からの位置情報やＰＴＳ（Presentation Time Stamp：再生タイムスタンプ）情報等）は、録画ファイルを途中から再生する際の重要な情報になっており、シーク等の特殊再生を行う場合に必要な情報である。本実施の形態では、デジタル放送の受信開始時から、このＩＤＲ情報を記憶部１０７内のＩＤＲ情報保存部２０５に順次保存している。
【００２７】
ＩＤＲ情報保存部２０５に保存する情報は、ＩＤＲ画像を含むアクセス・ユニットであるＩＤＲアクセス・ユニットに関する情報であり、ファイル先頭からのＴＳパケット番号、ＰＴＳ情報、ファイル先頭からの経過時間、ＩＤＲ画像を表示するのに必要なＴＳパケット数等から構成されている。
【００２８】
受信したデジタル放送を録画する場合は、ＩＤＲ情報保存部２０５の中から対象の録画データに有効なＩＤＲ画像の情報（ファイル先頭からの位置情報等）も併せて録画ファイル記録部１０８に保存する。
【００２９】
図３は、本実施の形態における分割録画処理の手順を示したフローチャートである。この分割録画処理は、対象のデジタル放送が選局部１０３において選局され、当該デジタル放送のＭＰＥＧ−ＴＳが制御部１０１にて解析可能な状態であることを前提とする。
【００３０】
分割録画処理を開始すると（ステップ３０１）、まず各バッファ等のメモリ確保、内部タイマ１１３の設定、ＴＳバッファ２０１の書き込みポインタの設定、ＴＳバッファ２０１の読み出しポインタの設定等の初期設定（ステップ３０２）を行なう。次に後述する分割録画開始準備処理（ステップ３０３）では、デジタル放送を受信開始して表示部１１０に表示すると共に、いつ録画開始が行われても対応できるように録画開始の準備を行なう。
【００３１】
次にステップ３０４にて、録画開始の判断を行う。ユーザ指示もしくは予約録画時の録画開始時刻による録画が開始されない場合は、前述の分割録画開始準備処理（ステップ３０３）を継続する。ユーザ指示もしくは予約録画時の録画開始時刻による録画が開始された場合は、後述する分割録画開始処理（ステップ３０５）で録画開始のための処理を行う。
【００３２】
次にステップ３０６にて、分割録画開始処理（ステップ３０５）でエラーが発生したかどうかを判断する。エラーが無いと判断した場合は、後述する分割録画中処理（ステップ３０７）に移行する。次にステップ３０８にて分割録画中処理（ステップ３０７）でエラーが発生したかどうかを判断する。エラーが無いと判断した場合は、ステップ３０９にて録画終了の判断を行う。
【００３３】
ステップ３０９で、ユーザ指示もしくは予約録画時の録画終了時刻による録画が終了されない場合は、後述する分割録画継続処理（ステップ３１０）を行い、分割録画中処理（ステップ３０７）に戻って処理を継続する。ユーザ指示もしくは予約録画時の録画終了時刻による録画が終了した場合は、後述する分割録画終了処理（ステップ３１１）に移行する。
【００３４】
次にステップ３１２にて、分割録画終了処理（ステップ３１１）でエラーが発生したかどうかを判断する。エラーが無いと判断した場合は、分割録画処理を終了する（ステップ３１３）。ステップ３０６、ステップ３０８、ステップ３１２のいずれかにおいてエラーが有ると判断した場合は、個々の処理に対応したエラー処理を行ない（ステップ３１４）、分割録画処理を終了する（ステップ３１３）。
【００３５】
図４は、図３における分割録画開始準備処理（ステップ３０３）の手順を示したフローチャートである。分割録画開始準備処理を開始すると（ステップ４０１）、デジタル放送であるＴＳパケットを取得し（ステップ４０２）、ＴＳバッファ２０１に保存する（ステップ４０３）。ＴＳパケットが保存されたら、ＴＳバッファ２０１への書き込みポインタを更新し（ステップ４０４）、次のＴＳパケットの取得に備える。
【００３６】
次にステップ４０５にて、取得したＴＳパケットのデータがＩＤＲ画像であるかどうかを判断する。取得したＴＳパケットのデータがＩＤＲ画像でない場合は、分割録画開始準備処理を終了する（ステップ４０６）。取得したＴＳパケットのデータがＩＤＲ画像である場合は、ＩＤＲ画像の位置情報等からなるＩＤＲ情報をＩＤＲ情報保存部２０５に保存し（ステップ４０７）、分割録画開始準備処理を終了する（ステップ４０６）。
【００３７】
図５は、図３における分割録画開始処理（ステップ３０５）の手順を示したフローチャートである。分割録画開始処理を開始すると（ステップ５０１）、まずステップ５０２にて、録画を分割する単位となる時間およびサイズの指定値が有るかどうかを判断する。分割録画の単位指定値が何も無い場合、録画開始エラー処理（ステップ５１４）へ移行する。分割録画の単位指定値が有る場合、ステップ５０３に移行し、単位指定値として時間が指定されているかどうかを判断する。
【００３８】
ステップ５０３で、単位指定値として時間が指定されている場合は、指定された時間を分割録画の単位ファイル時間として設定し（ステップ５０４）、時間が指定されていない場合は、分割録画の単位ファイル時間として０秒を設定する（ステップ５０５）。本実施の形態における携帯端末１００では、単位ファイル時間として１２００秒を指定するものとする。
【００３９】
次にステップ５０６にて、単位指定値としてサイズが指定されているかどうかを判断する。分割録画の単位指定値としてサイズが指定されている場合は、指定されたサイズを分割録画の単位ファイルサイズとして設定し（ステップ５０７）、サイズが指定されていない場合は、分割録画の単位ファイルサイズとして０バイトを設定する（ステップ５０８）。本実施の形態における携帯端末１００では、単位ファイルサイズとして、９６０００バイトを指定するものとする。
【００４０】
その後、表示部１１０に現在表示されている画像を表示するために必要となるＩＤＲ画像の情報を、ＩＤＲ情報保存部２０５に保存されているＩＤＲ情報の中から遡って検索し（ステップ５０９）、ステップ５１０にて、ＩＤＲ情報保存部２０５に保存されているＩＤＲ情報の中に該当するＩＤＲ情報が存在したかどうかを判断する。
【００４１】
ステップ５１０で、該当するＩＤＲ情報が存在した場合は、そのＩＤＲ情報の中から位置情報を抽出し、ＴＳバッファ２０１の読み出しポインタを設定する（ステップ５１１）。これにより、録画ファイル（第１の分割録画単位ファイル）の先頭はＩＤＲ画像となり、当該録画ファイルは、ＩＤＲ画像から再生開始することができることになる。その後、第１のファイル群（第１の分割録画単位ファイル（File_1.ts）、第１のタイムサーチ管理ファイル（File_1.inf））をオープンし（ステップ５１２）、分割録画開始処理を終了する（ステップ５１３）。
【００４２】
分割録画の単位指定値として、単位ファイル時間と単位ファイルサイズの両方が設定されている場合、いずれかの条件に到達した時点で分割録画単位ファイルを新たに生成する。これにより、分割録画の単位ファイルサイズのみ設定した場合に比べて、例えば弱電界等によりデジタル放送が不完全に受信され、ＴＳパケットの抜けが発生したことにより録画ファイルサイズが増えない場合であっても、指定した単位ファイル時間の経過により、その時点までの分割録画単位ファイルを生成できるという効果がある。
【００４３】
ステップ５０２での分割録画の単位指定値の有無判定で、いずれの単位指定値も指定されていなかった場合、またはステップ５１０で、該当するＩＤＲ情報が存在しなかった場合は、録画開始エラー処理（ステップ５１４）にて録画開始エラーを設定し、分割録画開始処理を終了する（ステップ５１３）。なお、ステップ５０２の分割録画の単位指定値の有無判定で、いずれの単位指定値も指定されていなかった場合、分割録画の単位に制限が無いものとして取り扱うこともできる。この場合は、結果的に分割されない１個の録画ファイルを生成することと等価である。
【００４４】
図６は、図３における分割録画中処理（ステップ３０７）の手順を示したフローチャートである。分割録画中処理を開始すると（ステップ６０１）、まず後述する単位ファイル記録処理（ステップ６０２）を行なう。次に、後述する単位ファイル終了点仮決定処理（ステップ６０３）を行い、その後、ステップ６０４にて単位ファイル仮終了点の有無の判定を行なう。
【００４５】
ステップ６０４で、分割録画ファイル中に単位ファイル仮終了点が無い場合は単位ファイル記録処理（ステップ６０２）に戻って処理を継続し、単位ファイル仮終了点が有る場合はステップ６０５に移行する。ステップ６０５では、内部タイマ１１３に所定時間を設定し、所定時間経過後に後述する単位ファイル終了点決定処理（ステップ６０６）に移行する。単位ファイル終了点決定処理（ステップ６０６）では分割録画ファイルの終了位置を決定し、その後、分割録画中処理を終了する（ステップ６０７）。
【００４６】
図７は、図６における単位ファイル記録処理（ステップ６０２）の手順を示したフローチャートである。単位ファイル記録処理を開始すると（ステップ７０１）、まずデジタル放送が受信できたかどうかを判断する（ステップ７０２）。デジタル放送が受信できなかった場合は、単位ファイル記録処理を終了する（ステップ７０８）。デジタル放送が受信できた場合は、当該デジタル放送のＴＳパケットを取得し（ステップ７０３）、ＴＳバッファ２０１に保存する（ステップ７０４）。
【００４７】
ＴＳバッファ２０１にＴＳパケットが保存されたら、保存したＴＳパケットを分割録画単位ファイル（File_1.ts）に記録し（ステップ７０５）、次のＴＳパケットの取得に備えるため、ＴＳバッファ２０１への書き込みポインタを更新する（ステップ７０６）。次に、ステップ７０７にて、取得したＴＳパケットのデータがＩＤＲ画像であるかどうかを判断する。取得したＴＳパケットのデータがＩＤＲ画像でない場合は、単位ファイル記録処理を終了する（ステップ７０８）。取得したＴＳパケットのデータがＩＤＲ画像であった場合は、ＩＤＲ画像の位置情報等からなるＩＤＲ情報をＩＤＲ情報保存部２０５に保存し（ステップ７０９）、単位ファイル記録処理を終了する（ステップ７０８）。
【００４８】
図８は、図６における単位ファイル終了点仮決定処理（ステップ６０３）の手順を示したフローチャートである。単位ファイル終了点仮決定処理を開始すると（ステップ８０１）、まず、ステップ８０２にて分割録画の単位ファイル時間に到達したかどうかを判断する。分割録画の単位ファイル時間に達していた場合は、単位ファイル終了点を仮決定して（ステップ８０３）、単位ファイル終了点仮決定処理を終了する（ステップ８０４）。分割録画の単位ファイル時間に達していなければ、ステップ８０５にて分割録画の単位ファイルサイズに到達しているかどうかを判断する。
【００４９】
ステップ８０５で、分割録画の単位ファイルサイズに到達している場合は、分割録画の単位ファイル時間に到達した場合と同様に、単位ファイル終了点を仮決定して（ステップ８０３）、単位ファイル終了点仮決定処理を終了する（ステップ８０４）。分割録画の単位ファイルサイズにも到達していなければ、分割録画ファイルは時間・サイズ共に設定した値に到達していないため、仮終了点未定として（ステップ８０６）、単位ファイル終了点仮決定処理を終了する（ステップ８０４）。
【００５０】
図９は、図６における単位ファイル終了点決定処理（ステップ６０６）の手順を示したフローチャートである。単位ファイル終了点決定処理を開始すると（ステップ９０１）、まず、ステップ９０２にて、図６のステップ６０５で内部タイマ１１３に設定された所定時間内に取得したＴＳパケットにＩＤＲ画像が有るかどうかを判断する。
【００５１】
ステップ９０２で、所定時間内にＩＤＲ画像が有ると判断した場合は、当該ＩＤＲ画像の直前までのＴＳパケットを、対象の分割録画単位ファイル（対象の分割録画単位ファイルが第１の分割録画単位ファイルの場合は、ファイル名File_1.ts（ＴＳパケットのファイル））の終了点として決定する。
【００５２】
さらに当該ＩＤＲ画像の開始位置を、継続する新たな分割録画単位ファイル（対象の分割録画単位ファイルが第１の分割録画単位ファイルの場合は、継続する新たな分割録画単位ファイルは、第２の分割録画単位ファイルであるので、ファイル名File_2.ts）の先頭として決定し（ステップ９０３）、その後、単位ファイル終了点決定処理を終了する（ステップ９０４）。これにより、第２の分割録画単位ファイルの先頭はＩＤＲ画像となり、ＩＤＲ画像から再生開始することができることになる。
【００５３】
ステップ９０２で、所定時間内にＩＤＲ画像が無いと判断した場合は、所定時間終了時点までのＴＳパケットを、対象の分割録画単位ファイル（対象の分割録画単位ファイルが第１の分割録画単位ファイルの場合は、ファイル名File_1.ts）の終了点として決定する。さらに所定時間終了時点の位置を、継続する新たな分割録画単位ファイル（対象の分割録画単位ファイルが第１の分割録画単位ファイルの場合は、継続する新たな分割録画単位ファイルは、第２の分割録画単位ファイルであるので、ファイル名File_2.ts）の先頭として決定し（ステップ９０５）、その後、単位ファイル終了点決定処理を終了する（ステップ９０４）。
【００５４】
なお、本実施の形態における携帯端末１００では、前記所定時間として７秒を設定している。内訳は、１セグ放送（地上波デジタルテレビ放送）のＩＤＲ画像の最大間隔である５秒＋ＴＳパケット受信時点からＰＴＳまでの時間である１．５秒＋余裕時間の０．５秒である。
【００５５】
図１０は、図３における分割録画継続処理（ステップ３１０）の手順を示したフローチャートである。分割録画継続処理を開始すると（ステップ１００１）、対象の分割録画単位ファイル（対象の分割録画単位ファイルが第１の分割録画単位ファイルの場合は、ファイル名File_1.ts）に、ＴＳパケット（録画データ）を記録する（ステップ１００２）。次に、対象の分割録画単位ファイルに含まれるＩＤＲ情報を、タイムサーチポイントとしてタイムサーチ管理ファイル（対象の分割録画単位ファイルが第１の分割録画単位ファイルの場合は、ファイル名File_1.inf）に記録する（ステップ１００３）。
【００５６】
ここで、第１のタイムサーチ管理ファイルFile_1.infの具体的なデータの例を図１６（ａ）に示す。先頭行は、第１のタイムサーチ管理ファイルFile_1.inf内におけるタイムサーチポイント（ＩＤＲ画像）の登録数（４バイト）を示しており、タイムサーチポイントは３つあるため値は３と設定している。
【００５７】
次の２行は、タイムサーチポイント１としての開始物理アドレス（４バイト）、およびファイル先頭からのタイムサーチポイント時間（秒）（４バイト）を示している。タイムサーチポイント１は、物理アドレス１０００から開始され、第１のタイムサーチ管理ファイルFile_1.inf内の最初のタイムサーチポイント（先頭）であるため、録画開始からのタイムサーチポイント時間である０（秒）を設定している。
【００５８】
次の２行は、タイムサーチポイント２を示しており、物理アドレス２５５７０にあり、録画開始から３１５秒経過した時点のＩＤＲ画像のタイムサーチポイントを登録したことを示している。同様に、次の２行は、タイムサーチポイント３を示しており、物理アドレス４６２４０にあり、録画開始から５８０秒経過した時点のＩＤＲ画像のタイムサーチポイントを登録したことを示している。
【００５９】
ステップ１００３で第１のタイムサーチ管理ファイルFile_1.infに登録した後、ファイル順管理ファイルFile.odrをオープンして、当該ファイルに対象の分割録画単位ファイルの情報を追加記録する（ステップ１００４）。
【００６０】
ここで、この時点におけるファイル順管理ファイルFile.odrの具体的なデータの例を図１７（ａ）に示す。ファイル順管理ファイルFile.odrには、再生時のファイル順序とその情報が記載されている。先頭行は、ファイル順管理ファイルFile.odr内に登録されている総ファイル数（４バイト）を示しており、最初の登録（１個のファイル）であるため値は１と設定している。
【００６１】
次の３行にファイル情報が登録されており、分割録画単位ファイルのファイル名（８バイト）、およびそのファイルの開始物理アドレス（４バイト）、さらに分割録画単位ファイルの再生持続時間（秒）（４バイト）が登録される。第１の分割録画単位ファイルは、ファイル名がFile_1.tsであり、物理アドレス１０００から開始され、再生持続時間は１２００秒の録画ファイルであることを示している。
【００６２】
File_1.tsは、再生持続時間が１２００秒の分割録画単位ファイルであることから、単位ファイル時間（単位ファイル時間指定値１２００秒）で分割録画された分割録画単位ファイルであることが分かる。弱電界等により、デジタル放送が不完全に受信された場合、ＴＳパケットの抜けが発生し、録画データ量が分割録画の単位ファイルサイズに到達するより先に時間が経過し、単位ファイル時間に先に到達する。
【００６３】
なお、本実施の形態における携帯端末１００では、前述したように分割録画単位ファイルを終了する際に図６のステップ６０５において、ＩＤＲ画像を取得するために７秒間処理を継続するため、再生持続時間は実際には単位ファイル時間に最大７秒加算した値となるが、説明を簡単にするためここでは加算せず簡略化している。
【００６４】
ここまでに記録した複数のファイル（第１の分割録画単位ファイル：File_1.ts、第１のタイムサーチ管理ファイル：File_1.inf、ファイル順管理ファイル：File.odr）を第１のファイル群として、これらファイル群をクローズする（ステップ１００５）。その後、継続する分割録画についての新たな第２のファイル群（第２の分割録画の単位ファイル（File_2.ts）、および第２のタイムサーチ管理ファイル（File_2.inf））をオープンして（ステップ１００６）、分割録画継続処理を終了する（ステップ１００７）。
【００６５】
ここまでの一連の処理が分割録画単位ファイルの生成処理となり、図３のステップ３０９において、ユーザもしくは予約録画時の録画終了時刻による録画終了の判断がされない限り、ステップ３０７〜ステップ３１０の処理が繰り返されて第２の分割録画単位ファイルFile_2.ts、第３の分割録画単位ファイルFile_3.ts…というように順次分割録画単位ファイルが生成される。
【００６６】
ここで、第２のタイムサーチ管理ファイルFile_2.infにおける具体的なデータの例を図１６（ｂ）に示す。先頭行は、第２のタイムサーチ管理ファイルFile_2.inf内におけるＩＤＲ画像のタイムサーチポイントの登録数（４バイト）を示しており、タイムサーチポイントは４つあるため値は４と設定している。
【００６７】
次の２行は、タイムサーチポイント１としての開始物理アドレス（４バイト）、およびファイル先頭からのタイムサーチポイント時間（秒）（４バイト）を示している。タイムサーチポイント１は、物理アドレス６５０００から開始され、第２のタイムサーチ管理ファイルFile_2.inf内の最初のタイムサーチポイント（先頭）であるため、録画開始からのタイムサーチポイント時間である０（秒）を設定している。
【００６８】
次の２行は、タイムサーチポイント２を示しており、物理アドレス８６２１６にあり、録画開始から２７２秒経過した時点のＩＤＲ画像のタイムサーチポイントを登録したことを示している。同様に、次の２行は、タイムサーチポイント３を示しており、物理アドレス１０４２３４にあり、録画開始から５０３秒経過した時点のＩＤＲ画像のタイムサーチポイントを登録したことを示している。同様に、次の２行は、タイムサーチポイント４を示しており、物理アドレス１２９８１８にあり、録画開始から８３１秒経過した時点のＩＤＲ画像のタイムサーチポイントを登録したことを示している。
【００６９】
次に、この時点における、第２の分割録画単位ファイルと、第２のタイムサーチ管理ファイルまでに対応したファイル順管理ファイルFile.odrの具体的なデータの例を図１７（ｂ）に示す。分割録画処理が２順目以降の場合、ファイル順管理ファイルFile.odrには第１の分割録画単位ファイルの情報に加えて、継続する分割録画についての分割録画単位ファイルの情報が順次追加登録される。
【００７０】
１行目において、総ファイル数は新たにファイル情報が追加される為、２に更新される。次の３行の第１の分割録画単位ファイルの情報の後に情報が登録され、続く３行で第２の分割録画単位ファイルの情報として、分割録画単位ファイルのファイル名（８バイト）、およびそのファイルの開始物理アドレス（４バイト）、さらに分割録画単位ファイルの再生持続時間（秒）（４バイト）が登録される。第２の分割録画単位ファイルは、ファイル名がFile_2.tsであり、物理アドレス６５０００から開始され、再生持続時間は９００秒の録画ファイルであることを示している。
【００７１】
File_2.tsは、再生持続時間が９００秒の分割録画単位ファイルであることから、単位ファイルサイズ（単位ファイルサイズ指定値９６０００バイト）で分割録画された分割録画単位ファイルであることが分かる。なお、前述したように本実施の形態における携帯端末１００では、再生持続時間は実際には単位ファイル時間に最大７秒加算した値となるが、説明を簡単にするためここでは加算せず簡略化している。
【００７２】
さらに、第３のタイムサーチ管理ファイルFile_3.infにおける具体的なデータの例を図１６（ｃ）に示す。先頭行は、第３のタイムサーチ管理ファイルFile_3.inf内におけるＩＤＲ画像のタイムサーチポイントの登録数（４バイト）を示しており、タイムサーチポイントは２つあるため値は２と設定している。
【００７３】
次の２行は、タイムサーチポイント１としての開始物理アドレス（４バイト）、およびファイル先頭からのタイムサーチポイント時間（秒）（４バイト）を示している。タイムサーチポイント１は、物理アドレス１６１０００から開始され、第３のタイムサーチ管理ファイルFile_3.inf内の最初のタイムサーチポイント（先頭）であるため、録画開始からのタイムサーチポイント時間である０（秒）を設定している。次の２行は、タイムサーチポイント２を示しており、物理アドレス１８０８１２にあり、録画開始から２５４秒経過した時点のＩＤＲ画像のタイムサーチポイントを登録したことを示している。
【００７４】
次に、この時点における、第３の分割録画単位ファイルと、第３のタイムサーチ管理ファイルまでに対応したファイル順管理ファイルFile.odrの具体的なデータの例を図１７（ｃ）に示す。分割録画処理が３順目となり、１行目の総ファイル数は３に更新される。
【００７５】
次の３行の第１の分割録画単位ファイルの情報および次の３行の第２の分割録画単位ファイルの情報の後に情報が追加登録され、続く３行で第３の分割録画単位ファイルの情報として、分割録画単位ファイルのファイル名（８バイト）、およびそのファイルの開始物理アドレス（４バイト）、さらに分割録画単位ファイルの再生持続時間（秒）（４バイト）が登録される。第３の分割録画単位ファイルは、ファイル名がFile_3.tsであり、物理アドレス１６１０００から開始され、再生持続時間は３００秒の録画ファイルであることを示している。
【００７６】
File_3.tsは、再生持続時間およびファイルサイズが単位ファイル時間でも単位ファイルサイズでもなく、ユーザからの録画終了指示により終了していることが分かる。なお、ファイルサイズについては、例えば、第２の分割録画単位ファイルのサイズの場合は、File_2.ts自体のサイズ、もしくは、ファイルの物理アドレスが連続している場合は、第２の分割録画単位ファイルの開始物理アドレスと第３の分割録画単位ファイルの開始物理アドレスとの差分から算出できる。
【００７７】
図１１は、図３における分割録画終了処理（ステップ３１１）の手順を示したフローチャートである。分割録画終了処理は、ステップ１１０５のファイル群のクローズまで、図１０の分割録画継続処理と同じ手順を行って終了する。つまり継続する新たなファイル群をオープンしないため、図１０のステップ１００６が実行されずに終了するフローチャート図と等価となる。
【００７８】
分割録画終了処理を開始すると（ステップ１１０１）、対象の分割録画単位ファイル（対象の分割録画単位ファイルが第ｎの分割録画単位ファイルの場合は、ファイル名File_n.ts）に、ＴＳパケット（録画データ）を記録する（ステップ１１０２）。次に、対象の分割録画単位ファイルに含まれるＩＤＲ情報を、タイムサーチ管理ファイル（対象の分割録画単位ファイルが第ｎの分割録画単位ファイルの場合は、ファイル名File_n.inf）に記録する（ステップ１１０３）。
【００７９】
ステップ１１０３で第ｎのタイムサーチ管理ファイルFile_n.infに登録した後、ファイル順管理ファイルFile.odrをオープンして、当該ファイルに対象の分割録画単位ファイルの情報を追加記録する（ステップ１１０４）。ここまでに記録した複数のファイル（分割録画単位ファイル：File_n.ts、タイムサーチ管理ファイル：File_n.inf、ファイル順管理ファイル：File.odr）を第ｎのファイル群として、これらファイル群をクローズし（ステップ１１０５）、分割録画終了処理を終了する（ステップ１１０６）。
【００８０】
図１２は、録画されたファイルの再生処理の手順を示したフローチャートである。再生処理を開始すると（ステップ１２０１）、まず再生を個々の分割録画単位ファイルの再生で行うか、分割録画単位ファイルの連結再生で行うかを選択するファイル再生選択処理（ステップ１２０２）を行なう。
【００８１】
次に、ステップ１２０３で、分割録画単位ファイルの連結再生が選択されたかどうかを判断する。分割録画単位ファイルの連結再生を選択しない場合は、選択した個々の分割録画単位ファイルそれぞれについて後述する単位ファイル単独再生処理（ステップ１２０４）を行なって、その後終了する（ステップ１２０５）。分割録画単位ファイルの連結再生を選択した場合は、後述する単位ファイル連結再生処理（ステップ１２０６）を行なって、その後終了する（ステップ１２０５）。
【００８２】
ステップ１２０２での選択処理は、例えば図１３に示すような表示画面を表示部１１０に表示することによって、任意の分割録画単位ファイルの再生か、分割録画単位ファイルの連結再生（ＡＬＬ）かを、カーソル移動もしくは数字指定によりユーザに選択させるような構成などが考えられる。
【００８３】
図１８は、図１３に示す画面によって選択された内容と、分割録画単位ファイルの再生方法との対応関係の例について示した図である。図１８の例では、キー番号０を入力すると、再生対象は全ての分割録画単位ファイルとなる。その際に読み込む管理ファイルは、ファイル再生順序を示すファイル順管理ファイル（File.odr）、タイムサーチ管理ファイル（File_1.inf、File_2.inf、File_3.inf）であり、第１の分割録画単位ファイル、第２の分割録画単位ファイル、第３の分割録画単位ファイルの連結再生を行なう。
【００８４】
また、キー番号１、２、３を入力すると、各分割録画単位ファイルの単独再生となり、キー番号１を入力すると第１のタイムサーチ管理ファイル（File_1.inf）を読込み、第１の分割録画単位ファイル（File_1.ts）のみの再生を行なう。キー番号２、３を入力した場合も同様に、対応する分割録画単位ファイルの単独再生を行なう。
【００８５】
図１４は、図１２における単位ファイル単独再生処理（ステップ１２０４）の手順を示したフローチャートである。単位ファイル単独再生処理を開始すると（ステップ１４０１）、指定された分割録画単位ファイルのデータを読み込み（ステップ１４０２）、その後、指定された分割録画単位ファイルの再生を行なう（ステップ１４０３）。
【００８６】
次に、ステップ１４０４で、指定された分割録画単位ファイルの全ての再生が終了したかどうかの判断を行ない、再生が終了していない場合はステップ１４０２に戻り、分割録画単位ファイルの読み込みと再生を継続する。指定された分割録画単位ファイルの全ての再生が終了した場合は、単位ファイル単独再生処理を終了する（ステップ１４０５）。正常にデジタル放送を受信している状態では、分割録画単位ファイルは全てＩＤＲ画像から開始することになるので、分割録画単位ファイルを単独で再生した場合、ファイルの先頭から再生することができる。
【００８７】
図１５は、図１２における単位ファイル連結再生処理（ステップ１２０６）の手順を示したフローチャートである。分割録画単位ファイルの連結再生を行う場合、再生開始に先立って、各分割録画のタイムサーチ管理ファイルの内容を連結して、等価的に１個のタイムサーチ管理ファイルとしておく。図１９は、各分割録画のタイムサーチ管理ファイルを連結し、１個のタイムサーチ管理ファイルと等価な内容とした例を示した図である。
【００８８】
図１９は、分割録画単位ファイルの連結再生時におけるＩＤＲ画像のタイムサーチポイントの情報を示している。ファイル順管理ファイル（File.odr）に登録されている複数の分割録画単位ファイルを結合した１つの録画ファイルと見なして再生するため、開始物理アドレスは変わらないが、ファイル先頭からの再生時間の値は更新される。例えば、第２の分割録画単位ファイルの再生時間は、第１の分割録画単位ファイルの再生持続時間１２００秒分が加算された値に更新され、第３の分割録画単位ファイルの再生時間は、第１の分割録画単位ファイルと第２の分割録画単位ファイルの再生持続時間の合計である２１００秒分が加算された値に更新される。
【００８９】
これにより、複数の分割録画単位ファイルをまたがったタイムサーチが容易となり、ユーザに対して、複数の分割録画単位ファイルが結合した大きな単独録画ファイルと等価の動作環境を提供することが可能となる。
【００９０】
図１５において、単位ファイル連結再生処理を開始すると（ステップ１５０１）、それぞれの分割録画単位ファイルを連続して再生させるため、ファイル順管理ファイルの読み込み（ステップ１５０２）を行なう。次に、対象となる分割録画単位ファイルのデータを読み込み（ステップ１５０３）、対象となる分割録画単位ファイルの再生（ステップ１５０４）を行なう。
【００９１】
次に、ステップ１５０５では、対象となる分割録画単位ファイルの再生が終了に近づいたかどうかを判断する。対象となる分割録画単位ファイルの再生が終了に近づいていない場合はステップ１５０３に戻り、分割録画単位ファイルの読み込みと再生を継続する。対象となる分割録画単位ファイルの再生が終了に近づいている場合は、ステップ１５０６で、継続する分割録画単位ファイルが有るかどうかの判断を行なう。
【００９２】
ステップ１５０６で、継続する分割録画単位ファイルが有る場合は、さらにステップ１５０７で、継続する分割録画単位ファイルが既に読み込み（先読み）済みであるかどうかの判定を行ない、先読みされていない場合は、継続する分割録画単位ファイルの先読み（ステップ１５０８）を行なう。
【００９３】
ステップ１５０６で、継続する分割録画単位ファイルが無い場合は、ステップ１５０９で、対象となる分割録画単位ファイルの再生が終了したかどうかの判定を行ない、再生が終了していない場合はステップ１５０３に戻り、対象となる分割録画単位ファイルのデータ読み込みと再生を継続する。対象となる分割録画単位ファイルの再生が終了した場合は、さらにステップ１５１０で、全ての分割録画単位ファイルの再生が終了したかどうかの判定を行なう。
【００９４】
ステップ１５１０で、全ての分割録画単位ファイルの再生が終了していない場合は、継続する分割録画単位ファイルを、対象とする分割録画単位ファイルに設定し（ステップ１５１１）、その後ステップ１５０３に戻り、対象となる分割録画単位ファイルのデータ読み込みと再生を継続する。全ての分割録画単位ファイルの再生が終了した場合は、単位ファイル連結再生処理を終了する（ステップ１５１２）。
【００９５】
本実施の形態では、分割録画単位ファイルを連結再生する場合、ファイル順管理ファイル（File.odr）の内容に従って、個々の分割録画単位ファイルを順次再生していく方式をとっているが、事前に対象の分割録画単位ファイルについても連結して１つの録画ファイルとしてから再生する方式をとることも可能である。
【００９６】
以上に説明したように、本実施の形態による録画再生装置によれば、デジタル放送を所定の間隔で自動的に分割録画することにより、録画中にエラーが生じた場合であってもエラー発生時までに正常に記録された録画データを保存し、再生することが可能となる。また、ファイル順管理ファイル（File.odr）を利用することにより、複数の録画ファイルをあたかも１つの録画ファイルであるかのように途切れることなく連続して再生することが可能となる。
【００９７】
なお、本実施の形態では、録画再生装置の例として携帯端末１００について説明しているが、据置型の固定受信装置でも本発明が適用できることは自明である。また、デジタル放送には、地上波によるデジタル放送や、人工衛星を介したデジタル放送があるが、無線によるデジタル放送であることについては同じであり、同様に本発明を適用することができる。
【００９８】
＜実施の形態２＞
本発明の実施の形態２は、実施の形態１で説明したようなデジタル放送の分割録画および再生の一連の処理を行う機能を独立した制御回路として提供するものである。このような制御回路をＩＣ化して提供することなどが考えられる。
【００９９】
実施の形態１の図１における制御部１０１の機能のうち、分割録画および再生の一連の処理を行う機能を、独立した録画再生制御回路とすることが可能である。また、さらに拡張して録画再生装置の他の構成を取り込んで録画再生制御回路とすることも可能である。
【０１００】
図２０は、本発明の実施の形態２である録画再生制御回路の構成例を示した図である。図２０に示すように、録画再生制御回路２０００は、実施の形態１の図１におけるデジタル放送受信機能付き携帯端末１００の構成において、制御部１０１の一部として実装され、映像復号部１０９、音声復号部１１１、内部タイマ１１３、記憶部２００１を有する構成となっている。
【０１０１】
内部タイマ１１３は、図２０に示すように録画再生制御回路２０００の内部に有する構成以外にも、録画再生制御回路２０００の外部から取り込む構成であってもよい。また、記憶部２００１は、制御部１０１が利用する記憶部１０７を利用する構成とすることも可能である。
【０１０２】
図２１は、本実施の形態による携帯端末１００における、デジタル放送受信視聴時のデータの流れを示すブロック図である。データの流れは実施の形態１の図２で示したものと同様であるが、録画再生制御回路２０００によって実行される部分を新たに図示している。
【０１０３】
以上のように、分割録画および再生の一連の処理を行う機能を録画再生制御回路２０００として提供することで、携帯電話、ＰＤＡや車載端末などの携帯端末、ＤＶＤレコーダーなど、デジタル放送を受信することができる様々な機器について、録画再生制御回路２０００を実装することによって、実施の形態１で説明したような録画再生装置を容易に実現することが可能となる。
【０１０４】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【０１０５】
本発明は、デジタル放送を受信録画し、再生を行なう録画再生装置に利用可能である。
【図面の簡単な説明】
【０１０６】
【図１】本発明の実施の形態１であるデジタル放送受信機能付き携帯端末の内部構成の一例を示す概略ブロック図である。
【図２】本発明の実施の形態１におけるデジタル放送受信視聴時のデータの流れを示すブロック図である。
【図３】本発明の実施の形態１における分割録画処理の手順を示したフローチャートである。
【図４】本発明の実施の形態１における分割録画開始準備処理の手順を示したフローチャートである。
【図５】本発明の実施の形態１における分割録画開始処理の手順を示したフローチャートである。
【図６】本発明の実施の形態１における分割録画中処理の手順を示したフローチャートである。
【図７】本発明の実施の形態１における単位ファイル記録処理の手順を示したフローチャートである。
【図８】本発明の実施の形態１における単位ファイル終了点仮決定処理の手順を示したフローチャートである。
【図９】本発明の実施の形態１における単位ファイル終了点決定処理の手順を示したフローチャートである。
【図１０】本発明の実施の形態１における分割録画継続処理の手順を示したフローチャートである。
【図１１】本発明の実施の形態１における分割録画終了処理の手順を示したフローチャートである。
【図１２】本発明の実施の形態１における録画されたファイルの再生処理の手順を示したフローチャートである。
【図１３】本発明の実施の形態１におけるファイル再生選択処理で表示される画面の例を表した図である。
【図１４】本発明の実施の形態１における分割録画単位ファイル単独再生処理の手順を示したフローチャートである。
【図１５】本発明の実施の形態１における分割録画単位ファイル連結再生処理の手順を示したフローチャートである。
【図１６】（ａ）〜（ｃ）は、本発明の実施の形態１におけるタイムサーチ管理ファイルの具体的なデータの例を示した図である。
【図１７】（ａ）〜（ｃ）は、本発明の実施の形態１におけるファイル順管理ファイルの具体的なデータの例を示した図である。
【図１８】本発明の実施の形態１におけるファイル再生選択処理の表示画面で選択された内容と、分割録画単位ファイルの再生方法との対応関係の例について示した図である。
【図１９】本発明の実施の形態１における、タイムサーチ管理ファイルを連結し、１個のタイムサーチ管理ファイルと等価な内容とした例を示した図である。
【図２０】本発明の実施の形態２である録画再生制御回路の構成例を示した図である。
【図２１】本発明の実施の形態２におけるデジタル放送受信視聴時のデータの流れを示すブロック図である。
【符号の説明】
【０１０７】
１００…デジタル放送受信機能付き携帯端末、１０１…制御部、１０２…操作部、１０３…選局部、１０４…放送用受信アンテナ、１０５…無線通信部、１０６…通信用送受信アンテナ、１０７…記憶部、１０８…録画ファイル記録部、１０９…映像復号部、１１０…表示部、１１１…音声復号部、１１２…音声出力部、１１３…内部タイマ、
２０１…ＴＳバッファ、２０２…ＤＥＭＵＸ部、２０３…映像ＥＳバッファ、２０４…音声ＥＳバッファ、２０５…ＩＤＲ情報保存部、
２０００…録画再生制御回路、２００１…記憶部。
【図１】
2009017380.tif 000003
【図２】
2009017380.tif 000004
【図３】
2009017380.tif 000005
【図４】
2009017380.tif 000006
【図５】
2009017380.tif 000007
【図６】
2009017380.tif 000008
【図７】
2009017380.tif 000009
【図８】
2009017380.tif 000010
【図９】
2009017380.tif 000011
【図１０】
2009017380.tif 000012
【図１１】
2009017380.tif 000013
【図１２】
2009017380.tif 000014
【図１３】
2009017380.tif 000015
【図１４】
2009017380.tif 000016
【図１５】
2009017380.tif 000017
【図１６】
2009017380.tif 000018
【図１７】
2009017380.tif 000019
【図１８】
2009017380.tif 000020
【図１９】
2009017380.tif 000021
【図２０】
2009017380.tif 000022
【図２１】
2009017380.tif 000023